(57)【要約】【課題】  使用者がベッドに立ち上がったり、膝をついたり、飛び跳ねたりした場合でも、振動板や床フレームに曲げ応力が発生するのを抑え、振動発生装置の寿命の低下又は破損等のトラブルを防止するベッドを提供すること。【解決手段】  ベッド１は、振動子１１と、振動子１１とボルト１２で締結する振動板１３と、を備える振動発生装置１０と、ウレタンから形成されるボトム２１と、振動子１１を収納する凹部２２と振動板１３を載置する上面部２３とを有しボトム２１と嵌合しウレタンから形成されるスペーサ２４と、を備えるマットレス２０と、から構成され、振動板１３に外力が作用する場合、スペーサ２４はボトム２１から独立して移動し、振動板１３はスペーサ２４に追従する。【選択図】  図２
2010220952.tif 000002
【特許請求の範囲】
【請求項１】
振動子と、前記振動子と締結部材で締結する振動板と、を備える振動発生装置と、
弾性材料から形成されるボトムと、前記振動子を収納する収納部と前記振動板を載置する上面部とを有し前記ボトムと嵌合し前記弾性材料から形成されるスペーサと、を備えるマットレスと、から構成されるベッドであって、
前記振動板に外力が作用する場合、前記スペーサは前記ボトムから独立して変位し、前記振動板は前記スペーサに追従することを特徴とするベッド。
【請求項２】
前記スペーサと前記ボトムの間には、前記スペーサが変位可能で且つ前記スペーサの変形を制限する隙間を設けたことを特徴とする請求項１に記載のベッド。
【請求項３】
前記振動板の外形は、前記上面部より小さいことを特徴とする請求項１又は請求項２のいずれかに記載のベッド。
【発明の詳細な説明】
【技術分野】
【０００１】
本発明は、振動発生装置を備え、使用者の睡眠を促進するベッドに関するものである。
【背景技術】
【０００２】
従来のベッドとして、ベッドに設けた振動板に、連続する微振動を発生する連続微振動発生器と、概ね一定の周期で繰り返す単発的な振動を発生する間歇的単発振動発生器とを設けたものが知られている（例えば、特許文献１参照。）。
【０００３】
また、使用者の臥するベッド床は、その頭部を上下方向に通過する揺動中心軸線まわりに左右に揺動される床フレームを備えるものが知られている（例えば、特許文献２参照）。
【先行技術文献】
【特許文献】
【０００４】
【特許文献１】特開２００４−２４６７８号公報
【特許文献２】特開２００７−３７８３２号公報
【発明の概要】
【発明が解決しようとする課題】
【０００５】
しかしながら、従来技術のベッドでは、使用者がベッドに立ち上がったり、膝をついたり、飛び跳ねたりすると、振動板や床フレームに曲げ応力が働き振動発生装置の特定の部位に応力集中が発生して、振動発生装置の寿命の低下又は破損等のトラブルの原因になる虞れがあった。
【０００６】
本発明は、上記問題点に鑑みてなされたものであり、使用者がベッドに立ち上がったり、膝をついたり、飛び跳ねたりした場合でも、振動板や床フレームに曲げ応力が作用するのを抑え、振動発生装置の寿命の低下又は破損等のトラブルを防止するベッドを提供することを目的とする。
【課題を解決するための手段】
【０００７】
本発明の第１の課題解決手段は、振動子と、前記振動子と締結部材で締結する振動板と、を備える振動発生装置と、弾性材料から形成されるボトムと、前記振動子を収納する収納部と前記振動板を載置する上面部とを有し前記ボトムと嵌合し前記弾性材料から形成されるスペーサと、を備えるマットレスと、から構成されるベッドであって、前記振動板に外力が作用する場合、前記スペーサは前記ボトムから独立して変位し、前記振動板は前記スペーサに追従する構成である。
【０００８】
また、第２の課題解決手段は、前記スペーサと前記ボトムの間には、前記スペーサが変位可能で且つ前記スペーサの変形を制限する隙間を設けた構成である。
【０００９】
また、第３の課題解決手段は、前記振動板の外形は、前記上面部より小さい構成である。
【発明の効果】
【００１０】
本発明のベッドでは、スペーサはボトムから独立して変位し、振動板はスペーサに追従するため、振動板に外力が作用しても曲げ応力の発生を抑え、振動発生装置の特定の部位（例えば振動子と振動板の締結部）に応力が集中するのを防ぎ、振動発生装置の信頼性が向上する。
【００１１】
また、スペーサとボトムの間には、スペーサが変位可能で且つスペーサの一定以上の変形を制限する隙間を設けたため、スペーサとボトムの嵌合部にスペーサの変位を妨げる摩擦の発生を防ぐことができ、スペーサのスムーズな変位が可能になる。また、スペーサの変位に伴う変形をボトムの嵌合部が規制するため、スペーサの一定以上の変形を抑えることが可能で、快適な寝心地を維持できる。
【００１２】
また、振動板の外形は上面部より小さい構成であるため、振動板がスペーサに追従するときに、ボトムの嵌合部との摩擦・引っ掛かりの発生を防ぐことができる。また、振動板の外形面にボトムとの摩擦・引っ掛かり防止を目的とする端面処理（面取り、Ｒ加工）が不要で、振動板の製造コストを低減できる。
【図面の簡単な説明】
【００１３】
【図１】本発明の振動発生装置を備えたベッドの構成を示す説明図である。
【図２】本発明のベッドで外力が作用したときの振動板の状態を示す説明図である。
【図３】スペーサを備えないベッドで外力が作用したときの振動板の状態を示す説明図である。
【図４】図２のＡ部詳細を示す説明図である。
【発明を実施するための形態】
【００１４】
以下に本発明の最良の実施形態を図面に基づき説明する。
【００１５】
図１は、本発明の振動発生装置１０を備えたベッド１の構成を示す説明図である。ベッド１は、振動発生装置１０と、振動発生装置１０を内部に備えるマットレス２０と、から構成される。
【００１６】
振動発生装置１０は、上下方向に振動する振動子１１と、振動子１１とボルト１２（締結部材）（図２）で締結したＡＢＳ樹脂製の振動板１３と、から構成される。
【００１７】
マットレス２０は、ウレタン材料（弾性材料）から形成されるボトム２１と、振動子１１を収納する凹部２２（収納部）と、振動板１３を載置する上面部２３とを有しボトム２１と嵌合しウレタン材料から形成されるスペーサ２４と、から構成される。ボトム２１と振動板１３にはエラスティックポリマー材料から成る複数の円柱形状の弾性体２５を備えたキルト層２６が載置され、使用者に適度な振動を付与する。
【００１８】
図２は、本発明のベッド１で外力が作用したときの振動板１３の状態を示す説明図である。使用者がベッド１に立ち上がったり、膝をついたり、飛び跳ねたりしてキルト層２６を介して振動板１３に外力が作用すると、振動板１３は図２の下方に押される。振動板１３が載置される上面部２３には外力が作用し、スペーサ２４はボトム２１から独立して下方に移動（変位）する。このとき振動板１３はスペーサ２４に追従して、略水平状態を維持したまま下方に移動するため、振動板１３に曲げ応力は発生しない。よって振動子１１と振動板１３を締結するボルト１２の部分に応力集中は生じない。
【００１９】
図３は、スペーサ２４を備えないベッド１ａで外力が作用したときの振動板１３ａの状態を示す説明図である。使用者がベッド１ａに立ち上がったり、膝をついたり、飛び跳ねたりしてキルト層２６を介して振動板１３ａに外力が作用すると、外力が作用した部分の振動板１３ａが図３の下方に押される。このとき振動板１３ａは外力が作用した部分と外力が作用していない部分で下方への移動量が異なるため、振動板１３ａは傾斜した状態になる。このとき振動板１３ａに曲げ応力が生じる。振動子１１と振動板１３ａを締結するボルト１２には曲げ応力及びキルト層２６からの反力が作用し、応力集中が生じ、ボルト１２の破損の原因になる。
【００２０】
図４は、図２のＡ部詳細を示す説明図である。スペーサ２４とボトム２１の間には、スペーサ２４が下方への移動が可能で、スペーサ２４の一定以上の変形を制限する片側が５ｍｍ〜１０ｍｍの隙間Ｓが設けてある。また、振動板１３の外形寸法Ｄｔは、スペーサ２４の上面部２３の外形寸法Ｄｓより小さい構成である。
【００２１】
本発明のベッド１では、スペーサ２４はボトム２１から独立して移動（変位）し、振動板１３はスペーサ２４に追従するため、振動板１３に外力が作用しても曲げ応力が抑えられ、振動発生装置１０のボルト１２に応力集中が発生するのを防止でき、振動発生装置１０の信頼性が向上する。
【００２２】
また、スペーサ２４とボトム２１の間には、スペーサ２４が移動可能で且つスペーサ２４の変形を制限する隙間Ｓを設けたため、スペーサ２４とボトム２１の嵌合部２７にスペーサ２４の移動を妨げる摩擦の発生を防ぐことができ、スペーサ２４のスムーズな移動が可能になる。また、スペーサ２４の一定以上の変形をボトムの嵌合部２７であるボトム２１の内径部２９が規制するため、快適な寝心地を維持できる。
【００２３】
また、振動板１３の外形寸法Ｄｔは上面部２３の外形寸法Ｄｓより小さいため、振動板１３がスペーサ２４に追従するときに、ボトム２１の嵌合部２７である内径部２８との摩擦・引っ掛かりの発生を防ぐことができる。また、振動板１３の外形面１４にボトム２１との摩擦・引っ掛かり防止を目的とする端面処理（面取り、Ｒ加工）が不要で、振動板１３の製造コストを低減できる。
【符号の説明】
【００２４】
１  ベッド
１０  振動発生装置
１１  振動子
１２  ボルト（締結部材）
１３  振動板
２０  マットレス
２１  ボトム
２２  凹部（収納部）
２４  スペーサ
【図１】
2010220952.tif 000003
【図２】
2010220952.tif 000004
【図３】
2010220952.tif 000005
【図４】
2010220952.tif 000006